(57)【要約】【課題】背もたれの角度調整とレッグレストの角度調整のような２つの位置調整を単一のモータで個別に行う。【解決手段】位置調整が可能な部分を複数備えるとともに、これら位置調整部のための位置調整機構の駆動用のモータ２を備えて、正逆回転自在な単一のモータ２に、動力伝達用回転方向が異なる二つのワンウェイクラッチ２２，２４と、負荷側からの荷重による回転を阻止する制動手段とを介して上記位置調整機構を接続する。動力伝達用回転方向が異なる二つのワンウェイクラッチ２２，２４を用いることで、単一のモータ２の回転方向に応じて回転を伝達することができる位置調整部を切り替える。【選択図】図１
2005304959.tif 000002
【特許請求の範囲】
【請求項１】
位置調整が可能な部分を複数備えるとともに、これら位置調整部のための位置調整機構の駆動用のモータを備えている電動調整型チェアであって、正逆回転自在な単一のモータに、動力伝達用回転方向が異なる二つのワンウェイクラッチと、負荷側からの荷重による回転を阻止する制動手段とを介して上記位置調整機構を接続していることを特徴とする電動調整型チェア。
【請求項２】
制動手段が動力伝達用を兼ねたウォーム機構であることを特徴とする請求項１記載の電動調整型チェア。
【請求項３】
位置調整部の一つが背もたれの角度変更部であり、位置調整部の他の一つが座部の前端に配されたレッグレストの角度変更部であることを特徴とする請求項１または２記載の電動調整型チェア。
【発明の詳細な説明】
【技術分野】
【０００１】
本発明は、電動によって背もたれや座面などの位置調整を行うことができる電動調整型チェアに関するものである。
【背景技術】
【０００２】
電動リクライニングチェアで背もたれの角度変更を電動で行うことができるようにしたものにおいて、足を載せるためのレッグレストの角度変更（位置調整）を電動で行うようにする場合、両者の角度変更は独立して行うことができるようにすることが望まれることから、特開平１１−２５３２７２号公報に示されているように、レッグレストの駆動専用のモータを設けている。この場合、背もたれ駆動用のモータと、レッグレスト駆動用のモータの２つのモータが必要となる。
【０００３】
単一のモータで背もたれとレッグレストとを共に駆動するようにしたものも存在するが、これは背もたれを倒せばレッグレストが連動して上がるように構成されたものであり、両者の角度を個別に調整することができない。
【０００４】
特開平０７−１８４７３６号公報には、単一のモータで背もたれとレッグレストを別に駆動することができるようにしたものが示されているが、これはモータを回転させれば、まずレッグレストが作動し、更にモータを回転させれば背もたれがリクライニングするものであり、レッグレストを作動させることなく背もたれをリクライニングさせることはできず、またレッグレストを作動させることは、背もたれを起こした状態でしか行えないものであり、このために両者を個別に独立調整することができるものとは言えない。
【特許文献１】特開平１１−２５３２７２号公報
【特許文献２】特開平０７−１８４７３６号公報
【発明の開示】
【発明が解決しようとする課題】
【０００５】
本発明は上記の従来の問題点に鑑みて発明したものであって、背もたれの角度調整とレッグレストの角度調整のような２つの位置調整を単一のモータで個別に行うことができる電動調整型チェアを提供することを課題とするものである。
【課題を解決するための手段】
【０００６】
上記課題を解決するために本発明に係る電動調整型チェアは、位置調整が可能な部分を複数備えるとともに、これら位置調整部のための位置調整機構の駆動用のモータを備えて、正逆回転自在な単一のモータに、動力伝達用回転方向が異なる二つのワンウェイクラッチと、負荷側からの荷重による回転を阻止する制動手段とを介して上記位置調整機構を接続していることに特徴を有している。動力伝達用回転方向が異なる二つのワンウェイクラッチを用いることで、単一のモータの回転方向に応じて回転を伝達することができる位置調整部を切り替えるものである。
【０００７】
上記制動手段には動力伝達用を兼ねたウォーム機構を好適に用いることができる。
【０００８】
また位置調整部の一つが背もたれの角度変更部であり、位置調整部の他の一つが座部の前端に配されたレッグレストの角度変更部であると、背もたれの角度変更とレッグレストの角度変更を単一のモータで個別に行うことができる。
【発明の効果】
【０００９】
本発明は、モータの回転方向を変えることで、二つの位置調整機構を個別に独立駆動することができるものであり、位置調整機構を個別に動かすことができるとはいえ、複数のモータを必要とせずに安価に提供できるとともに、電動駆動のために必要な機器スペースも小さくてすむために、近年の椅子式マッサージ機のように多くの機器が座部下方の空間に収納されているものにおいても無理なく設置することができる。
【発明を実施するための最良の形態】
【００１０】
以下、本発明を添付図面に示す実施形態に基いて説明すると、図示例は、背もたれ１１と座部１２と座部１２の前端側に配置されたレッグレスト１３とを有するチェア１において、背もたれ１１の角度調整と、レッグレスト１３の角度調整を共に電動で行うことができるもので、ここでは背もたれ１１は軸１５を中心に回動し、レッグレスト１３は軸１６を中心に回動するようにしてある。そして、この電動調整チェアにおいては、正逆回転自在なモータ２によって上記背もたれ１１とレッグレスト１３の角度を個別に独立調整することができるようにしている。
【００１１】
単一のモータ２で上記両者の個別調整を可能とするために、ここではモータ２として両端から出力軸２０が突出するステップモータを用いるとともに、出力軸２０の一端側はワンウェイクラッチ２２を介してウォーム２３に接続し、出力軸２０の他端側はワンウェイクラッチ２４を介してウォーム２５に接続している。そして上記ウォーム２３に噛合するウォームホイール２６の外周部側面とレッグレスト１３とをリンク３１で連結し、上記ウォーム２５に噛合するウォームホイール２７の外周部側面と背もたれ１１とをリンク３２で連結している。モータ２の駆動で上記ウォームホイール２６，２７を回転させたならば、リンク３１，３２によってレッグレスト１３及び背もたれ１１はその角度を変更する。
【００１２】
ここにおいて、上記ワンウェイクラッチ２２はモータ２の一方向回転のみをウォーム２３に伝達し、ワンウェイクラッチ２４はモータ２の他方向回転のみを伝達するもので、ウォーム２３及びウォームホイール２６を回転させてレッグレスト１３の角度を変更する時、ワンウェイクラッチ２４は空転してウォーム２５及びウォームホイール２７が回転しないために背もたれ１１の角度は変更されず、モータ２の回転方向を逆にしてウォーム２５及びウォームホイール２７を回転させて背もたれ１１の角度を変更する時、ワンウェイクラッチ２２は空転してウォーム２２及びウォームホイール２６が回転しないためにレッグレスト１３の角度が変更されることはない。つまり、背もたれ１１とレッグレスト１３の角度調整を同時に行うことはできないものの、単一のモータ２で個別に独立調整することができるものである。
【００１３】
なお、ウォームホイール２６とウォーム２３及びウォームホイール２７とウォーム２３のウォーム機構は、その自動締り機能により、負荷側からの荷重で背もたれ１１なりレッグレスト１３が回動してしまうことを防いでおり、従って動力伝達手段としての機能の他に、制動手段としても機能している。
【００１４】
図２に他例を示す。モータ２の出力軸２０にワンウェイクラッチ２２を介して接続したホイール２５ａの外周部側面をリンク３１でレッグレスト１３に接続し、モータ２の出力軸２０にワンウェイクラッチ２４を介して接続したホイール２７ａの外周部側面をリンク３２で背もたれ１１に接続して、モータ２の一方向回転でレッグレスト１３を回動駆動し、モータ２の他方向回転で背もたれ１１を回動駆動する。
【００１５】
そして、本例においては、負荷側の荷重で背もたれ１１やレッグレスト１３が回動してしまうことを防ぐために、ワンウェイクラッチ２２の負荷側からホイール２６ａまでの従動回転部分と、ワンウェイクラッチ２４の負荷側からホイール２７ａまでの従動回転部分とにその回転を止める制動手段２８，２９を夫々設けている。これら制動手段２８，２９は、常時制動をかけていてモータ２側からの出力を伝達する時だけ制動を解除するものが好ましく、またソレノイド等を用いた電磁駆動で制動解除動作を行うものを好適に用いることができるが、ワンウェイクラッチ２２，２４の駆動側部材の動力伝達方向の回転時の動きを利用して制動解除動作を行うものであってもよい。
【００１６】
以上の各例においては、背もたれ１１の角度変更とレッグレスト１３の角度変更を単一のモータ２で行うものを示したが、この２つのうちの一方に代えて座部１２の高さ（角度）調整を行うものであってもよく、また位置調整のうちの一つが背もたれ１１の角度変更やレッグレスト１３の角度変更である必要はなく、位置調整可能な部分が二つ以上存在しているチェアであれば、本発明を有効に適用することができる。
【図面の簡単な説明】
【００１７】
【図１】本発明の実施の形態の一例の概略側面図である。
【図２】他例を示すもので、(a)は概略側面図、(b)は部分平面図である。
【符号の説明】
【００１８】
１  チェア
２  モータ
１１  背もたれ
１３  レッグレスト
２２  ワンウェイクラッチ
２３  ワンウェイクラッチ
２３  ウォーム
２４  ウォーム
２６  ウォームホイール
２７  ウォームホイール
【図１】
2005304959.tif 000003
【図２】
2005304959.tif 000004